(57)【特許請求の範囲】
【請求項１】
カバーリング方式の椅子自体のクッション材または椅子に付けるクッション材を覆う生地カバーを着脱可能に保持する脚付きボタンを留める留め具であって、
第１の平板および第２の平板と、
平面上に載置された前記第１の平板および前記第２の平板を互いの端面を対向させて所定の間隔を開けて接続する、前記平面に平行な方向から見た側面視で略Ｕ字形状の接続部とで形成され、
前記第１の平板における前記接続部が設けられていない面には、前記第１の平板に略垂直な上方立設部が形成され、
前記上方立設部における前記間隔側の側面には、前記第２の平板に略平行になるように丸棒形状の係止棒が突設され、
前記係止棒は、棒先端面が前記第２の平板に対向するように略直角に曲がった逆Ｌ字形状を備える、着脱可能なカバーのボタン留め具。
【請求項２】
前記第１の平板および前記第２の平板は、略半円形状であって、前記略半円の直径が対向するように所定の間隔を開けて前記接続部により接続され、
前記接続部は、前記略Ｕ字形状の開放側が前記第１の平板の底面および前記第２の平板の底面を接続するように形成されている、請求項１に記載の着脱可能なカバーのボタン留め具。
【請求項３】
前記接続部は、側面視で略Ｕ字形状であって全体視で略円錐台形状を備え、
前記接続部における前記略Ｕ字形状の開放側の前記略円錐台の直径は、前記略半円の直径よりも短い、請求項２に記載の着脱可能なカバーのボタン留め具。
【請求項４】
前記第１の平板の端面と前記上方立設部における前記間隔側の側面とは略同一平面で形成されている、請求項１〜請求項３のいずれかに記載の着脱可能なカバーのボタン留め具。
【請求項５】
請求項１〜請求項４のいずれかに記載のボタン留め具を用いて生地カバーを着脱自在に取り付ける取付構造であって、
前記脚付きボタンの脚部には穴部が設けられ、
前記穴部には前記係止棒が係止され、
前記生地カバーには、前記係止棒を含む前記上方突設部の外形形状よりも大きな内径を備えたハトメが設けられ、
前記穴部に前記係止棒が係止された前記上方立設部の外周に、前記ハトメの内周が対向している、取付構造。
【発明の詳細な説明】
【技術分野】
【０００１】
本発明は、椅子自体の背部および座部のクッション材または椅子に付けるクッション材を覆う生地カバー（綿、ウール、ポリエステル、アクリル等の布、牛革等の革、合成皮革を含む）を保持する留め具に関し、特に、生地カバーを保持するボタンを容易に着脱可能に留めるボタン留め具およびそれを用いた取付構造に関する。
【背景技術】
【０００２】
ソファー等の椅子自体の背部または／および座部には座り心地を向上させるために、クッションがソファー自体と一体化されて設けられていたり、ソファーの背部または座部にクッションが付けられていたりすることがある。これらのクッションは、その中身（充填材）としてクッション性を備えたウレタンフォーム、ポリエステル綿、羽毛等のクッション材が、生地カバーで覆われているものが多い。この場合において、クッションの中身のクッション材（充填材）が自由に動き回ることができてしまうと、クッションの保形性が低下してしまい、ソファーの形状が保持できなかったりクッションの形状が保持できなかったりする。このため、クッションの表面と裏面とを紐状物（紐、伸縮性を備えた紐等）で結ばれた飾りボタン（くるみボタン）等により、数ヶ所を接続することがある。クッション内部において、数ヶ所において表面と裏面とを接続した紐状物により中身のクッション材が保持されて、ソファーの形状が保持できるようになったり、クッションの形状が保持できるようになったりする。また、このような数ヶ所の飾りボタンでソファーやクッションの表面（と裏面と）を加飾することは、ソファーやクッションのデザイン性を高めることにも繋がっている。
【０００３】
ところで、ソファーにおいて、上述した表面と裏面とを接続する紐状物は、取り外すことができないことが多く、表面が汚れた場合にはソファーを分解して紐状物を切断しないと、生地カバーが選択できるものであるとしても、この生地カバーを取り外して洗濯することができないという問題がある。
このような問題に対して、生地カバーを着脱自在にすることにより、表面が汚れた場合にはソファーを分解することなく生地カバーを取り外して洗濯することが考えられる。このような、椅子の背部または座部、ピローのクッション等において、表面が汚れた場合の対策として、カバー（表層部）を着脱式として洗濯可能としたカバーリング方式が一般化している。
【０００４】
実用新案登録第３１９５０１６号公報（特許文献１）は、ソファーに適用されるものではなくクッションに適用されるものであるが、このようなカバーリング方式に適用可能な着脱式カバーを開示する。この着脱式カバーは、ボタン付きクッションのボタン位置に対応する場所に予め切り込みを入れられており、その周囲が布地のほつれがでないようにかがり縫いが施されたボタン穴が設けられている。そして、この着脱式カバーは、ウレタンフォーム等の充填材が布地等で包まれて、かつ、その表面にボタンが取り付けられたボタン付きクッションに、着脱自在に装着される。この着脱式カバーをボタン付きクッションに装着する場合には、ボタン付きクッションのボタンを、着脱式カバーの裏面よりボタン穴を通して着脱式カバーの表面に出す。このように、クッションとカバーとの関係が一体化されるので収まりが良く、使用時のズレによる変形を起こしにくい（保形性が良い）。
【先行技術文献】
【特許文献】
【０００５】
【特許文献１】実用新案登録第３１９５０１６号公報
【発明の概要】
【発明が解決しようとする課題】
【０００６】
しかしながら、上述した特許文献１に開示された着脱式カバーは、ボタンを表面に備えるという特殊な形態のボタン付きクッションと必ず組み合わせて使用しなければならない。このため、充填材であるクッションにボタンが必ず付いていなければならないために汎用性が低いという問題がある。また、着脱式カバーの色合いとボタン付きクッションのボ
タンの色合いとを合わせておいても（同じ色合いで合わせる場合も異なる色合いで合わせる場合も含む）着脱式カバーを替えてしまうと、ボタン付きクッションのボタンの色合いとが合わなくなることもあって（デザイン的に好ましくなくなって）、そのような場合にはボタン付きクッションのボタンを取り替えなければならないという問題がある。
【０００７】
本発明は、従来技術の上述の問題点に鑑みて開発されたものであり、その目的とするところは、カバーリング方式の椅子自体または椅子に付ける、背部のクッション材または座部のクッション材を覆う生地カバーを着脱可能に保持するボタンを留める留め具およびそれを用いた取付構造であって、様々なボタンを使用できかつクッション（充填材）にボタンが付いている必要がない点で汎用性が高く、安価で、着脱作業が容易な、着脱可能なカバーのボタン留め具およびそれを用いた取付構造を提供することである。
【課題を解決するための手段】
【０００８】
上記目的を達成するため、本発明に係る着脱可能なカバーのボタン留め具およびそれを用いた取付構造は以下の技術的手段を講じている。
すなわち、本発明のある局面に係る着脱可能なカバーのボタン留め具は、カバーリング方式の椅子自体のクッション材または椅子に付けるクッション材を覆う生地カバーを着脱可能に保持する脚付きボタンを留める留め具であって、第１の平板および第２の平板と、平面上に載置された前記第１の平板および前記第２の平板を互いの端面を対向させて所定の間隔を開けて接続する、前記平面に平行な方向から見た側面視で略Ｕ字形状の接続部とで形成され、前記第１の平板における前記接続部が設けられていない面には、前記第１の平板に略垂直な上方立設部が形成され、前記上方立設部における前記間隔側の側面には、前記第２の平板に略平行になるように丸棒形状の係止棒が突設され、前記係止棒は、棒先端面が前記第２の平板に対向するように略直角に曲がった逆Ｌ字形状を備える。
【０００９】
好ましくは、前記平板は、略半円形状であって、前記略半円の直径が対向するように所定の間隔を開けて前記接続部により接続され、前記接続部は、前記略Ｕ字形状の開放側が前記第１の平板の底面および前記第２の平板の底面を接続するように形成されているように構成することができる。さらに好ましくは、前記接続部の前記直径方向長さは前記直径よりも短いように構成することができる。さらに好ましくは、前記第１の平板の端面と前記上方立設部における前記間隔側の側面とは略同一平面で形成されているように構成することができる。
【００１０】
本発明の別の局面に係る取付構造は、上述したいずれかに記載のボタン留め具を用いて生地カバーを着脱自在に取り付ける取付構造であって、前記脚付きボタンの脚部には穴部が設けられ、前記穴部には前記係止棒が係止され、前記生地カバーには、前記係止棒を含む前記上方突設部の外形形状よりも大きな内径を備えたハトメが設けられ、前記穴部に前記係止棒が係止された前記上方立設部の外周に、前記ハトメの内周が対向している。
【発明の効果】
【００１１】
本発明によれば、カバーリング方式の椅子自体または椅子に付ける、背部のクッション材または座部のクッション材を覆う生地カバーを着脱可能に保持するボタンを留める場合において、様々なボタンを使用できかつクッション（充填材）にボタンが付いている必要がない点で汎用性が高く、安価で、着脱作業が容易な、着脱可能なカバーのボタン留め具およびそれを用いた取付構造を提供することができる。
【図面の簡単な説明】
【００１２】
【図１】本発明の実施の形態に係るボタン留め具が適用されるソファーを示す図である。
【図２】本発明の実施の形態に係るボタン留め具が適用されるクッションを示す図である。
【図３】本発明の実施の形態に係るボタン留め具の三面図である。
【図４】図３に示したボタン留め具の斜視図である。
【図５】図３に示したボタン留め具を用いた、着脱可能なカバーの取付方法を説明するための側面図である。
【図６】図３に示したボタン留め具を用いた取付構造を説明するための図である。
【図７】図３に示したボタン留め具を用いた、着脱可能なカバーの取付方法を説明するための斜視図である。
【図８】本発明の第１の変形例に係るボタン留め具を示す側面図である。
【図９】本発明の第２の変形例に係るボタン留め具を示す側面図（Ａ）および三面図（Ｂ）である。
【発明を実施するための形態】
【００１３】
以下、本発明の実施の形態に係るボタン留め具１００およびそのボタン留め具１００を用いた取付構造を、図面に基づき詳しく説明する。このボタン留め具１００およびそのボタン留め具１００を用いた取付構造ならびにこのボタン留め具１００を用いた着脱可能な生地カバーの取り付け方法および取り外し方法を説明する前に、このボタン留め具１００が好適に使用される、カバーリング方式の椅子自体（本実施の形態においてはソファー１０とする）またはカバーリング方式のクッション２０（たとえばソファー１０の背部または座部に付するクッション）について、図１および図２を用いて説明する。
【００１４】
このボタン留め具１００が好適に使用されるソファー１０の正面図を図１（Ａ）に、その背面図を図１（Ｂ）にそれぞれ示す。このソファー１０は、限定されるものではないが２人用のソファーであって、着座者の背中が当接する背部および臀部が当接する座部を含み、左右の肘掛け部、４本の脚等を含む構成を備える。
背部は、背部表生地カバー１２Ｆおよび背部裏生地カバー１２Ｂから構成される着脱可能な背部生地カバー１２でクッション材が覆われている。座部は、座部表生地カバー１４Ｆおよび座部裏生地カバー（図示しない）から構成される着脱可能な座部生地カバー１４でクッション材が覆われている。ここで、クッション材は、生地カバーに覆われる充填材としてのクッション性を備えたウレタンフォーム等である。
【００１５】
そして、背部生地カバー１２は、背部表生地カバー１２Ｆ側に脚付きボタン（裏側ボタン５００に対する表側ボタン）２００が表出して、背部裏生地カバー１２Ｂ側に裏側ボタン５００が表出して、脚付きボタン２００と裏側ボタン５００とが、後述するボタン留め具１００および紐状物４００により接続されている。このように数ヶ所（図１の背部では１２ヶ所）において表面と裏面とを接続した紐状物により中身のクッション材が保持されて、ソファー１０の背部形状が保持できるようになっていたり、デザイン性が高められていたりする。
【００１６】
なお、座部も背部と同じように、座部表生地カバー１４Ｆ側に脚付きボタン２００が表出して、座部裏生地カバー側に裏側ボタン５００が表出して、脚付きボタン２００と裏側ボタン５００とが後述するボタン留め具１００および紐状物４００により接続されている。このように数ヶ所（図１の座部では１２ヶ所）において表面と裏面とを接続した紐状物により中身のクッション材が保持されて、ソファー１０の座部形状が保持できるようになっている。
【００１７】
さらに、このボタン留め具１００が好適に使用されるクッション２０の表面図およびその背面図を図２に示す。このクッション２０は、限定されるものではないが、１人用のクッションであって、使用者の背中または臀部が当接する。
クッション表生地カバー２２Ｆおよびクッション裏生地カバー２２Ｂから構成される袋状の着脱可能なクッション生地カバー２２でクッション材が覆われている。ここで、クッション材は、生地カバーに覆われる充填材としてのクッション性を備えたウレタンフォーム、ポリエステル綿、羽毛等である。
【００１８】
そして、クッション生地カバー２２は、クッション表生地カバー２２Ｆ側に脚付きボタン２００が表出して、クッション裏生地カバー２２Ｂ側に裏側ボタン５００が表出して、脚付きボタン２００と裏側ボタン５００とが後述するボタン留め具１００および紐状物４００により接続されている。このように数ヶ所（図２のクッション２０では６ヶ所）において表面と裏面とを接続した紐状物により中身のクッション材が保持されて、クッション２０の形状が保持できるようになっていたり、デザイン性が高められていたりする。
【００１９】
なお、詳しくは後述するが、脚付きボタン２００は一般的に衣類または家具に用いられる脚付きボタン（たとえばくるみボタン）であって、裏側ボタン５００はボタン留め具１
００と類似する構成を備えた留め具である。
［ボタン留め具（専用品）の構成およびその他の汎用品の構成］
図３に示す本実施の形態に係るボタン留め具１００の三面図、図４に示すこのボタン留め具１００の斜視図、図５〜図７に示すボタン留め具１００を用いた着脱可能な生地カバー３００の取付方法および取付構造を説明するための図を参照して、ボタン留め具１００（専用品）の構成およびその他の汎用品の構成について説明する。なお、図３および図６においては、（Ａ）に対して、（Ｂ）が９０度、（Ｃ）が１８０度、ボタン留め具１００が時計回りに回転している。
【００２０】
まず、本実施の形態に係るボタン留め具１００の構成について説明して、その後にこのボタン留め具１００を用いて着脱可能な生地カバー３００の取り付ける場合に使用する汎用品（脚付きボタン２００、紐状物４００および裏側ボタン５００、ならびに、任意的な構成である沈み込み防止用リング７００および取り外し治具８００）の構成について説明する。
【００２１】
・ボタン留め具１００（専用品）
これらの図に示すように、このボタン留め具１００は、大略的には、第１の平板１１０Ａおよび第２の平板１１０Ｂと（纏めて平板１１０と記載する場合がある）、平面上に載置された第１の平板１１０Ａの端面１１０ＡＳおよび第２の平板１１０Ｂの端面１１０ＢＳを互いに対向させて所定の間隔Ｔ（０）を開けて接続する、平面に平行な方向から見た側面視（図４参照）で略Ｕ字形状の接続部１２０とで形成されている。そして、第１の平板１１０Ａにおける接続部１２０が設けられていない表面１１０ＡＦには、第１の平板１１０Ａに略垂直な上方立設部１２６が形成され、上方立設部１２６における間隔Ｔ（０）側（第２の平板１１０Ｂ側でもある）の側面１２６Ｓには、第２の平板１１０Ｂに略平行になるように丸棒形状の係止棒１３０が突設されている。この係止棒１３０は、棒先端面１３８が第２の平板１１０Ｂの表面１１０ＢＦに間隔Ｔ（１）を開けて対向するように略直角に曲がった逆Ｌ字形状を備えた直径Ｄ（１）の丸棒形状であって、水平接続部１３２（水平部長さＬ（４））、屈曲部１３４（略９０度）および垂直対向部１３６（棒先端面１３８と表面１１０ＢＦとの間隔Ｔ（１）を開けて対向）で構成されている。
【００２２】
ここで、このボタン留め具１００の素材は、特に限定されるものではないが、高分子化合物からなる合成樹脂製であって、たとえばポリエチレン（ＰＥ）、ポリプロピレン（ＰＰ）、ポリスチレン（ＰＳ）等である。これらの樹脂でボタン留め具１００を形成すると、樹脂が備える弾性により、好適な作用効果を発現することができる。たとえば、間隔Ｔ（１）へ脚付きボタン２００の脚部２１０を挿入する際に上方立設部１２６を湾曲させて脚付きボタン２００の脚部２１０の間隔Ｔ（１）への挿入を容易にしたり、間隔Ｔ（０）へ紐状物４００を挿入する際に下方立設部１２４を湾曲させて紐状物４００の間隔Ｔ（０）への挿入を容易にしたりすることができる。この点については、第１の変形例でさらに説明する。なお、このボタン留め具１００の素材としては、樹脂よりも一般的に強度的に優れた金属等であっても構わない。
【００２３】
さらに、これらの平板１１０（第１の平板１１０Ａおよび第２の平板１１０Ｂ）は、略半円形状であって、略半円の直径が対向するように所定の間隔Ｔ（０）を開けて接続部１２０により接続されている。この接続部１２０は、略Ｕ字形状の開放側が第１の平板１１０Ａの裏面１１０ＡＢおよび第２の平板１１０Ｂの裏面１１０ＢＢを接続するように形成されている。
【００２４】
さらに、接続部１２０の直径方向長さＬ（２）は、これらの平板１１０の直径Ｌ（１）よりも短くなるように構成されている（Ｌ（１）＞Ｌ（２））。
さらに、第１の平板１１０Ａの端面１１０ＡＳと上方立設部１２６における間隔Ｔ（０）側の側面１２６Ｓ（および下方立設部１２４の内面１２４Ｓ）とは略同一平面で形成されている。
【００２５】
そして、詳しくは後述するが、このような特徴的な構造を備えたボタン留め具１００を用いて生地カバー３００を着脱自在に取り付ける取付構造は、脚付きボタン２００の脚部２１０には穴部２１２が設けられ、その穴部２１２には係止棒１３０（より詳しくは水平
接続部１３２）が係止され、生地カバー３００には係止棒１３０を含む上方立設部１２６の外形形状Ｌ（３）よりも、そのＬ（３）よりも大きな平板１１０の略半円の直径Ｌ（１）よりも、大きな内径Ｔ（３）を備えたハトメ３１０が設けられ（Ｔ（３）＞Ｌ（１）＞Ｌ（３））、穴部２１２に係止棒１３０（より詳しくは水平接続部１３２）が係止された上方立設部１２６の外周に、ハトメ３１０の内周が対向している。
【００２６】
大略的にはこのような構成を備えた本実施の形態に係るボタン留め具１００についてさらに詳しく説明する。なお、以下において大小関係を記載しない部分については、図面に記載の通りであるため、ここでの詳細な説明は繰り返さない場合がある。
図３（Ａ）、図３（Ｂ）および図３（Ｃ）に示すように、このボタン留め具１００を構成する２つの平板である第１の平板１１０Ａおよび第２の平板１１０Ｂは、直径Ｌ（１）の略半円形状であって、略半円の直径が対向するように（第１の平板１１０Ａの端面１１０ＡＳと第２の平板１１０Ｂの端面１１０ＢＳとが対向するように）所定の間隔Ｔ（０）を開けて、第１の平板１１０Ａの裏面１１０ＡＢと第２の平板１１０Ｂの裏面１１０ＢＢとが、図４に示す側面視で略Ｕ字形状の接続部１２０により接続されている。より詳しくは、接続部１２０の略Ｕ字形状の開放側と、第１の平板１１０Ａの裏面１１０ＡＢおよび第２の平板１１０Ｂの裏面１１０ＢＢとが、それぞれ接続されることにより、２つの平板である第１の平板１１０Ａと第２の平板１１０Ｂとが接続されている。
【００２７】
この接続部１２０は、側面視において第１の平板１１０Ａと第２の平板１１０Ｂの裏面どうしを接続する略Ｕ字形状であって、第１の平板１１０Ａの裏面１１０ＡＢおよび第２の平板１１０Ｂの裏面１１０ＢＢに接続部１２０の下方立設部１２４が設けられることにより接続部１２０の略Ｕ字形状の底側１２０Ｄが第１の平板１１０Ａの裏面１１０ＡＢおよび第２の平板１１０Ｂの裏面１１０ＢＢよりも突出している。２つの下方立設部１２４は底部１２２により接続されている。この場合において、接続部１２０の底部１２２により、２つの平板１１０が間隔Ｔ（０）を開けて接続されることになる。
【００２８】
また、第１の平板１１０Ａの表面１１０ＡＦに上方立設部１２６が設けられることにより、図４に示す側面視で、接続部１２０の略Ｕ字形状の開放側１２０Ｕが第１の平板１１０Ａの表面１１０ＡＦよりも突出して形成されていることにもなる。
ここで、この間隔Ｔ（０）は、係止棒１３０の水平接続部１３２における水平長さＬ（４）と略一致しているがこれに限定されるものではない。なお、係止棒１３０の垂直対向部１３６における棒先端面１３８と第２の平板１１０Ｂの表面１１０ＢＦとは平行平面を形成しており、間隔Ｔ（１）を開けて対向している。また、係止棒１３０は、大略的には、９０度曲げられた逆Ｌ字形状を備える直径Ｄ（１）の丸棒形状である。
【００２９】
図３および図５に示すように、間隔Ｔ（１）は脚付きボタン２００の脚部２１０の厚みＴ（２）より若干大きく（Ｔ（１）＞Ｔ（２））、水平接続部１３２の水平長さＬ（４）は脚付きボタン２００の脚部２１０の厚みＴ（２）より若干大きく（（Ｌ（４）（≒Ｔ（０））＞Ｔ（２）、係止棒１３０の直径Ｄ（１）は脚付きボタン２００の脚部２１０の穴部２１２の直径Ｄ（２）よりも若干小さい（（Ｄ（２）＞Ｄ（１））。このため、図５（Ａ）に示すように脚付きボタン２００をその脚部２１０が水平方向になるように向けて（脚付きボタン２００の本体部２２０が垂直状態になるように向けて）、係止棒１３０の垂直対向部１３６と第２の平板１１０Ｂの表面１１０ＢＦとが対向している間隔Ｔ（１）へ脚部２１０を挿入して、穴部２１２を垂直対向部１３６へ嵌入して、図５（Ｂ）に示すように屈曲部１３４で脚付きボタン２００をその脚部２１０が垂直方向になるように回転させて（脚付きボタン２００の本体部２２０が水平状態になるように回転させて）、穴部２１２を水平接続部１３２へ進行させることができる。これにより、脚付きボタン２００の脚部２１０の穴部２１２を係止棒１３０の水平接続部１３２に嵌め込んで、本体部２２０が水平状態の脚付きボタン２００をボタン留め具１００に係止させることができる。
【００３０】
さらに、このボタン留め具１００の接続部１２０の直径方向長さＬ（２）は、平板１１０の略半円の直径Ｌ（１）よりも短い（（Ｌ（１）＞Ｌ（２））。なお、接続部１２０の直径方向長さＬ（２）は、接続位置での長さである（下方立設部１２４が位置する上端側であって底部１２２が位置する下端側でないことを意味する）。接続部１２０の直径方向
長さＬ（２）が短いと強度が低くなり、底部１２２が破損したり接続位置における平板１１０との接合が破損したりしてボタン留め具１００が破損する場合がある。このため、ボタン留め具１００自体の強度を考慮した場合には、接続部１２０の直径方向長さＬ（２）は長い方が好ましい。
【００３１】
一方、後述するように、平板１１０の略半円の直径Ｌ（１）および接続部１２０の直径方向長さＬ（２）は、このボタン留め具１００の取付構造において用いられるハトメ３１０の内径Ｔ（３）よりも小さく（Ｔ（３）＞Ｌ（１）、Ｔ（３）＞Ｌ（２））、平板１１０の略半円の直径Ｌ（１）は沈み込み防止用リング７００の内径Ｔ（４）よりも大きく、かつ、接続部１２０の直径方向長さＬ（２）は沈み込み防止用リング７００の内径Ｔ（４）よりも小さい（Ｌ（１）＞Ｔ（４）＞Ｌ（２））必要がある。このような点を考慮して、少なくとも、接続部１２０の直径方向長さＬ（２）は平板１１０の略半円の直径Ｌ（１）よりも短い必要がある。このため、このボタン留め具１００においては、接続部１２０の直径方向長さＬ（２）は、平板１１０の略半円の直径Ｌ（１）よりも短くしている（（Ｌ（１）＞Ｌ（２））。さらに、限定されるものではないが、平板１１０の略半円の直径Ｌ（１）に対して接続部１２０の直径方向長さＬ（２）は１／２〜１／４であることが好ましく、１／３程度が特に好ましい。
【００３２】
上方立設部１２６は、第１の平板１１０Ａ側の側面は第１の平板１１０Ａの表面１１０ＡＦに垂直であって、第２の平板１１０Ｂ側の側面は上方へ進むに従い細くなる先細りのテーパ形状の断面が略半円の略円錐台形状（図４に示すように底面直径が略Ｄ（４）で上面直径が略Ｄ（５）で高さ略Ｈの略円錐台）を備える。そして、２つの平板１１０よりも上方（接続部１２０の逆側）においては、上方立設部１２６の最上部で長さＬ（３）であって、上方立設部１２６の最下部で最大長さＤ（３）となっており、いずれも平板１１０の略半円の直径Ｌ（１）よりも小さい（Ｌ（１）＞Ｄ（３）＞Ｌ（３））。なお、上述したように、平板１１０の略半円の直径Ｌ（１）は、ハトメ３１０の内径Ｔ（３）よりも小さく（Ｔ（３）＞Ｌ（１））ため、このボタン留め具１００はハトメ３１０を貫通することができる。
【００３３】
なお、平板１１０の略半円形状および上方立設部１２６の略半円の略円錐台形状とは、たとえば、図３に示すように、全円形状の平板に全円の円錐台をその中心軸を一致させて重ねて中央部分を間隔Ｔ（０）分だけ削除した形状であって、削除した後のこれらの形状が（平板１１０の）略半円形状および（上方立設部１２６）の略半円の略円錐台形状を意味する場合を含む。
【００３４】
以上のような構成を備えたボタン留め具１００とともに使用される汎用品の構成について、図５〜図７を参照して説明する。
・汎用品（脚付きボタン２００、紐状物４００、裏側ボタン５００）
脚付きボタン２００は、特に限定されるものではなく、衣類や家具に使用される脚付きの一般的な（くるみ）ボタンである。この脚付きボタン２００は、図５〜図７に示すように、本体部２２０の裏面中央近傍に立設された略平板状の脚部２１０を備え、その脚部２１０は穴部２１２が設けられている。上述したように、この穴部２１２が、ボタン留め具１００の係止棒１３０の水平接続部１３２に係止されることにより、ボタン留め具１００に脚付きボタン２００が嵌め込まれる。
【００３５】
裏側ボタン５００は、特に限定されるものではなく、たとえば、ボタン留め具１００の底側のみを備える構成を備える。この裏側ボタン５００は、図５に示すように、平面上に載置された２つの略半円形状の平板５１０を互いの端面を対向させて所定の間隔を開けて接続する、平面に平行な方向から見た側面視で略Ｕ字形状の接続部５２０とが、一体的に形成されている。ただし、この点でボタン留め具１００と類似するが、裏側ボタン５００はボタン留め具１００の上方立設部１２６および係止棒１３０を備えない。
【００３６】
紐状物４００は、ボタン留め具１００の接続部１２０の底側１２０Ｄの底部１２２と裏側ボタン５００の接続部５２０の底部５２２とを、エンドレスループ状で接続する、一般的な伸縮性を備えない紐または伸縮性を備えた紐状物である。なお、このように紐状物４００がボタン留め具１００と裏側ボタン５００とを接続するが、裏側ボタン５００を脚付
きボタン２００と同じように、穴部２１２を有する脚部２１０を備えたボタンであってもよく、この場合には、紐状物４００をエンドレスループ状にする前に、紐状物４００を脚部２１０の穴部２１２に通した後にエンドレスループ状にして、ボタン留め具１００の接続部１２０の底側１２０Ｄの底部１２２に係止するようにしても構わない。このようにすると、図２に示すクッション２０の表裏で同じボタンを使用することができる。さらに、表裏で同じボタンを使用するという観点では、ボタン留め具１００と脚付きボタン２００との組合せを、表側および裏側で１組ずつ使用するようにしても構わない。
【００３７】
なお、生地カバー３００（背部生地カバー１２、座部生地カバー１４、クッション生地カバー２２）は、ボタン留め具１００と脚付きボタン２００との組合せが設けられる位置およびこの位置に対応して紐状物４００を介してボタン留め具１００と接続される裏側ボタン５００が設けられる位置には、生地穴部３１２を形成するハトメ３１０が設けられている。このハトメ３１０の内径（生地穴部３１２の直径Ｔ（３））は、ボタン留め具１００の上方立設部１２６および脚付きボタン２００の脚部２１０が少なくとも通る大きさであって、ハトメ３１０の外径は、好ましくは脚付きボタン２００の本体部２２０の最大径よりも小さくして脚付きボタン２００をボタン留め具１００に係合させるとハトメ３１０が見えなくなる点で意匠上好ましい。
【００３８】
ただし、生地カバー３００に設ける穴部はハトメ３１０により形成されるものに限定されるものではなく、ボタンホールにより形成した穴部、熱加工により形成した穴部、テープ加工により形成した穴部であっても構わない。
・任意的汎用品（沈み込み防止用リング７００、取り外し治具８００）
次に、本発明に係る取付構造に必須の構成ではない任意的構成品である沈み込み防止用リング７００および取り外し治具８００を図５〜図７を参照して説明する。
【００３９】
沈み込み防止用リング７００は、このボタン留め具１００がクッション材に沈み込んでしまうことを防止するための中空薄板円板（座金、ワッシャー）である。その内径Ｔ（４）については、上述したように、平板１１０の略半円の直径Ｌ（１）は沈み込み防止用リング７００の内径Ｔ（４）よりも大きく、かつ、接続部１２０の直径方向長さＬ（２）は沈み込み防止用リング７００の内径Ｔ（４）よりも小さい（Ｌ（１）＞Ｔ（４）＞Ｌ（２））。そして、この沈み込み防止用リング７００の外径は、少なくともハトメ３１０の外径よりも小さいことが好ましい。これは、沈み込み防止用リング７００の外径がハトメ３１０の外径よりも小さいと、脚付きボタン２００の本体部２２０の最大径よりも必ず小さくなり、脚付きボタン２００をボタン留め具１００に係合させるとハトメ３１０に加えてこの沈み込み防止用リング７００も見えなくなる点で意匠上好ましいためである。
【００４０】
取り外し治具８００は、先端に切欠部８１２（幅Ｗ（１）×長さＬ）を備えた平板を曲げた構成を備え、切欠部８１２を備えた進入部８１０と把持部８２０とで形成されており、切欠部８１２の幅Ｗおよび長さＬはボタン留め具１００および脚付きボタン２００の形状に対応しており、ボタン留め具１００が切欠部８１２に内包され、脚付きボタン２００の本体部２２０の裏面が切欠部８１２の周囲８１４に支持される。より詳しくは、図６および図７に示すように、脚付きボタン２００の本体部２２０の最大径Ｗ（３）＞切欠部８１２の幅Ｗ（１）＞上方立設部１２６の最下部における最大長さＤ（３）もしくは上方立設部１２６の最上部で長さＬ（３）、または、脚付きボタン２００の本体部２２０の最大径Ｗ（３）＞切欠部８１２の幅Ｗ（１）＞脚付きボタン２００の脚部２１０の幅Ｗ（２）となる
図５（Ｃ）に示すように、このボタン留め具１００がクッション材に取り付けられている状態で、このボタン留め具１００を取り外すに際して、このボタン留め具１００をハトメ３１０よりも上方へ引き出す必要があるので、図６および図７に示すように、矢示Ｘ（１）方向へ進行させて、脚付きボタン２００とボタン留め具１００との間に切欠部８１２を係合して、矢示Ｘ（２）方向へ回動させることにより、または、矢示Ｘ（３）方向へ引き上げることにより、このボタン留め具１００がハトメ３１０よりも上方になるように、引き上げる。
【００４１】
なお、切欠部８１０により係止する場合において、脚付きボタン２００の本体部２２０
の裏面を切欠部８１２の周囲８１４により支持するのではなく、ボタン留め具１００の２つの平板１１０の裏面を切欠部８１２の周囲８１４により支持するようにしても構わない。この場合、図６および図７に示す取り外し治具８５０を用いることになり、より詳しくは、切欠部８１２の幅Ｗ（１）は、略Ｔ（４）程度になる。特に、上述した沈み込み防止用リング７００を備える場合に、このようにすることが好ましい。
【００４２】
［生地カバーの取り付け方法および取り外し方法］
以上のような、本実施の形態に係るボタン留め具１００を用いたこのボタン留め具１００を用いた着脱可能な生地カバーの取り付け方法および取り外し方法ならびに取付構造について、上述した図１〜図７を参照して説明する。なお、図６に示すように、表側生地カバー３００Ｆと裏側生地カバー３００Ｂとの間には、充填材としてのクッション性を備えたウレタンフォーム６００が設けられている。
【００４３】
・取り付け方法
図５（Ａ）および図７に示すように、ボタン留め具１００と脚付きボタン２００とを、表側生地カバー３００Ｆに予め設けられたハトメ３１０により形成された生地穴部３１２に近接させる。このとき、ボタン留め具１００の接続部１２０の底部１２２には紐状物４００が通されて、紐状物４００はエンドレスループ状で、裏側ボタン５００の接続部５２０の底部５２２に通されているものとする。
【００４４】
このように、ボタン留め具１００と脚付きボタン２００とを近接させた状態から、作業者がウレタンフォーム６００を押さえ込んでハトメ３１０よりも上方にボタン留め具１００を摘み上げる。このとき、沈み込み防止用リング７００、取り外し治具８００、取り外し治具８５０を用いると、ハトメ３１０よりも上方にボタン留め具１００を容易に引き上げることができて好ましい。
【００４５】
脚付きボタン２００をその脚部２１０が水平方向になるように向けて、係止棒１３０の垂直対向部１３６と第２の平板１１０Ｂの表面１１０ＢＦとが対向している間隔Ｔ（１）へ脚部２１０を挿入する。そして、脚付きボタン２００の脚部２１０に設けられた穴部２１２を垂直対向部１３６へ嵌入して、屈曲部１３４で脚付きボタン２００をその脚部２１０が垂直方向になるように回転させて、穴部２１２を水平接続部１３２へ進行させる。これにより、脚付きボタン２００の脚部２１０の穴部２１２を係止棒１３０の水平接続部１３２に嵌め込んで、本体部２２０が水平状態の脚付きボタン２００をボタン留め具１００に係止させる。これにより、図５（Ａ）に示す状態から図５（Ｂ）に示す状態になり、穴部２１２に水平接続部１３２が係止（嵌合または係合により係止）しており、ボタン留め具１００から脚付きボタン２００が容易に外れない。
【００４６】
この状態でボタン留め具１００を作業者が離すと、図５（Ｃ）に示すように、ウレタンフォーム６００が膨張して、相対的にボタン留め具１００が沈み込み、ハトメ３１０が上昇する。このように上昇したハトメ３１０の内周側に、脚付きボタン２００の脚部２１０の穴部２１２に係止棒１３０（より詳しくは水平接続部１３２）が係止された上方立設部１２６が位置している。このため、脚付きボタン２００の脚部２１０が水平接続部１３２から屈曲部１３４および垂直対向部の方向へ移動することができないので、脚付きボタン２００とボタン留め具１００とが分離することがない。このため、紐状物４００を介してボタン留め具１００と裏側ボタン５００とが接続されているので、表側から裏側へ向けて、脚付きボタン２００、ボタン留め具１００、紐状物４００および裏側ボタン５００が接続されて、生地カバー３００とウレタンフォーム６００とを一体化することができる。
【００４７】
・取付構造
図５（Ｃ）および図６を参照して、ボタン留め具１００を用いた取付構造について説明する。上述した取り付け方法によりボタン留め具１００に脚付きボタン２００が取り付けられ、本実施の形態に係る取付構造が実現する。
この取付構造においては、脚付きボタン２００の脚部２１０には穴部２１２が設けられ、その穴部２１２には係止棒１３０（より詳しくは水平接続部１３２）が係止され、生地カバー３００には係止棒１３０を含む上方立設部１２６の外形形状Ｌ（３）よりも、そのＬ（３）よりも大きな平板１１０の略半円の直径Ｌ（１）よりも、大きな内径Ｔ（３）を
備えたハトメ３１０が設けられる（Ｔ（３）＞Ｌ（１）＞Ｌ（３））。そして、ウレタンフォーム６００が膨張して、相対的にボタン留め具１００が沈み込むと、ハトメ３１０が上昇して、穴部２１２に係止棒１３０（より詳しくは水平接続部１３２）が係止された上方立設部１２６の外周に、ハトメ３１０の内周が対向している取付構造を実現する。
【００４８】
なお、ハトメ３１０は、ハトメ３１０の断面中心線（図６（Ｃ）に示すＬＨ）が水平接続部１３２の中心線（図３に示すＬＢ）に略一致する位置であるように、ボタン留め具１００、脚付きボタン２００およびハトメ３１０の各部が設定される。
・取り外し方法
基本的には取り付け方法の逆の手順で、生地カバー３００をウレタンフォーム６００から取り外すことができる。
【００４９】
図５（Ｃ）に示す状態から、作業者がウレタンフォーム６００を押さえ込みつつ脚付きボタン２００の本体部２２０を摘み上げてハトメ３１０よりも上方にボタン留め具１００を引き上げて図５（Ｂ）に示す状態に遷移させる。これにより、上述した取付構造である、穴部２１２に係止棒１３０（より詳しくは水平接続部１３２）が係止された上方立設部１２６の外周に、ハトメ３１０の内周が対向している取付構造、が開放される。このとき、沈み込み防止用リング７００、取り外し治具８００または取り外し治具８５０を用いると、ハトメ３１０よりも上方にボタン留め具１００を容易に引き上げることができて好ましい。
【００５０】
脚付きボタン２００の脚部２１０（脚部２１０が垂直方向）の穴部２１２が水平接続部１３２から屈曲部１３４へ移動させて（わずかな移動）、屈曲部１３４で脚付きボタン２００をその脚部２１０が水平方向になるように回転させて、穴部２１２を垂直対向部１３６へ進行させる。垂直対向部１３６と第２の平板１１０Ｂの表面１１０ＢＦとが対向している間隔Ｔ（１）から脚部２１０を離脱させる。これにより、脚付きボタン２００の脚部２１０に設けられた穴部２１２と係止棒１３０との係止（嵌合または係合により係止）が開放されて、図５（Ａ）および図７に示す状態になる。
【００５１】
次に、裏側ボタン５００の接続部５２０の底部５２２にエンドレスループ状で通されている紐状物４００を、底部５２２から取り外す。このとき、ウレタンフォーム６００を押し付けると、紐状物４００を裏側ボタン５００から取り外しやすい。
これにより、クッション内部にはボタン留め具１００、紐状物４００およびウレタンフォーム６００が残り、脚付きボタン２００および裏側ボタン５００がクッションから取り外され、生地カバー３００をクッションから取り外すことができる。
【００５２】
なお、生地カバー３００を再度取り付ける際までに脚付きボタン２００および裏側ボタン５００を紛失することを防止するために、脚付きボタン２００を生地カバー３００が取り外されたクッションに残っているボタン留め具１００に取り付けて（取り付け時と同じように接続部１２０の上方立設部１２６を広げて穴部２１２に係止棒１３０の略円形の突起を係合（嵌合）させて）、裏側ボタン５００を生地カバー３００が取り外されたクッションに残っている紐状物４００に取り付ける（エンドレスループ状の紐状物４００を裏側ボタン５００の接続部５２０の底部５２２に通す）ことも好ましい。
【００５３】
以上のようにして、本実施の形態に係るボタン留め具１００およびそれを用いた取付構造によると、カバーリング方式の椅子自体または椅子に付ける、背部のクッション材または座部のクッション材を覆う生地カバーを着脱可能に保持する様々なボタンをクッション（充填材）にボタンを設ける必要なく、汎用性が高く、安価で、容易に着脱させることができる。
【００５４】
上述したように本実施の形態に係るボタン留め具１００によって特段の作用効果を発現し得るわけであるが、このような特段の作用効果を発現し得る２つの変形例について以下に説明する。以下における２つの変形例の説明においては、特に説明しない点は、上述した実施の形態と同じである。
・第１の変形例
図８を参照して、本実施の形態の第１の変形例に係るボタン留め具１５０について説明する。この図８は図３（Ｂ）中段の図に対応する。
【００５５】
このボタン留め具１５０は、係止棒１３０の棒先端面１３８および第２の平板１１０Ｂの表面１１０ＢＦの対向する位置に半球状の垂直突起１５２（脚付きボタン２００の脚部２１０の厚みＴ（２）＞垂直突起１５２の先端間距離Ｔ（１１））を、下方立設部１２４の内面１２４Ｓの対向する位置に半球状の水平突起１５４を、それぞれ設けている。垂直突起１５２があるので、係止棒１３０から脚付きボタン２００が間隔Ｔ（０）を通って離脱することを防止することができ、水平突起１５４があるので、ボタン留め具１００から紐状物４００が離脱することを防止することができる。
【００５６】
特に、上述した実施の形態において記載した樹脂（ポリエチレン（ＰＥ）、ポリプロピレン（ＰＰ）、ポリスチレン（ＰＳ）等）でこの垂直突起１５２を形成すると（ボタン留め具１５０の全体を樹脂製とすることが好ましい）、樹脂が備える弾性により、脚付きボタン２００の脚部２１０を間隔Ｔ（０）を通すときには、脚付きボタン２００の脚部２１０の厚みＴ（２）が垂直突起１５２の先端間距離Ｔ（１１）よりも大きくても、間隔Ｔ（０）が弾性により広がり、係止棒１３０に脚付きボタン２００が係止された後は脚付きボタン２００の脚部２１０の厚みＴ（２）が垂直突起１５２の先端間距離Ｔ（１１）よりも大きいので、間隔Ｔ（０）が弾性により元に戻ってボタン留め具１００から脚付きボタン２００が容易に外れない。なお、このような弾性による作用効果は、水平突起１５４においても同様である。
【００５７】
このような構成を備えた第１の変形例に係るボタン留め具１５０であっても、ボタン留め具１００と同様の作用効果を発現することができる。
・第２の変形例
図９を参照して、本実施の形態の第２の変形例に係るボタン留め具９００について説明する。この図９（Ａ）は図４に対応し、図９（Ｂ）は図３（Ｂ）にそれぞれ対応する。
【００５８】
このボタン留め具９００は、１本のワイヤ鋼線を曲げて構成したものであって、上述した実施の形態に係るボタン留め具１００の各部の構成に対応する構成を備える。
大略的には、２つの平板１１０に対応して水平輪部９１０が形成され、接続部１２０に対応してＵ字部９２０が形成され、係止棒１３０に対応して逆Ｕ字部９３０が形成されている。
【００５９】
さらに詳しくは、Ｕ字部９２０は、２つの下方立設部１２４に対応する下方部９２４と、底部１２２に対応する底Ｕ部９２２とにより形成されて、略Ｕ字形状の底側１２０Ｄに対応する底側９２０Ｄおよび略Ｕ字形状の開放側１２０Ｕに対応する開放側９２０Ｕが形成されている。また、上方立設部１２６に対応する上方部９２６を備える。また、逆Ｕ字部９３０は、水平接続部１３２および屈曲部１３４に対応する曲がり開始部９３２および曲がり終了部９３４と、垂直対向部１３６（棒先端面１３８と表面１１０ＢＦとの間隔Ｔ（１）を開けて対向）に対応する垂直部９３６（先端端面部９３８と水平輪部９１０との間隔Ｔ（１）を開けて対向）とで形成されている。先端端面部９３８は抜け防止のために垂直部９３６から少し屈曲している。
【００６０】
以上のように、ボタン留め具１００の各部の構成に対応する構成を備えた本変形例に係るボタン留め具９００においては、ボタン留め具９００の各部の構成が、
上述したボタン留め具１００において対応する各部の構成により発現する作用効果と同じ（同等の）作用効果、または、その作用効果に相当する作用効果、または、その作用効果に準じる作用効果を発現する。
【００６１】
このため、このような構成を備えた第２の変形例に係るボタン留め具９００であっても、ボタン留め具１００と同様の作用効果を発現することができる。
なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００６２】
本発明は、カバーリング方式の椅子自体または椅子に付ける、背部のクッション材または座部のクッション材を覆う生地カバーを着脱可能に保持するボタンを留めるボタン留め
具およびそれを用いた取付構造に好ましく、様々なボタンを使用できかつクッション（充填材）にボタンが付いている必要がない点で汎用性が高く、安価で、着脱作業が容易な点で特に好ましい。
【符号の説明】
【００６３】
１００  ボタン留め具（実施の形態）
２００  脚付きボタン
３００  生地カバー
４００  紐状物
５００  裏側ボタン
６００  ウレタンフォーム
１５０  ボタン留め具（第１の変形例）
９００  ボタン留め具（第２の変形例）
【図１】
0006496652.tif 000002
【図２】
0006496652.tif 000003
【図３】
0006496652.tif 000004
【図４】
0006496652.tif 000005
【図５】
0006496652.tif 000006
【図６】
0006496652.tif 000007
【図７】
0006496652.tif 000008
【図８】
0006496652.tif 000009
【図９】
0006496652.tif 000010